【手続補正書】
【提出日】平成16年11月11日(2004.11.11)
【手続補正１】
【補正対象書類名】特許請求の範囲
【補正対象項目名】全文
【補正方法】変更
【補正の内容】
【特許請求の範囲】
【請求項１】
ディジタルオーディオ信号を識別する装置であって、
ディジタルオーディオ信号を受信する入力部と、
（ｉ）受信ディジタルオーディオ信号中の番組識別コードを識別し、（ｉｉ）伸張された又は未圧縮の受信ディジタルオーディオ信号中の番組識別コードを識別し、（ｉｉｉ）受信ディジタルオーディオ信号中の特徴署名を識別し、（ｉｖ）伸張された又は未圧縮の受信ディジタルオーディオ信号中の特徴署名を識別する構造とを、
備えることを特徴とする装置。
【請求項２】
請求項１記載の装置であって、上記構造が、識別済の信号にタイムスタンプを付加することを特徴とする装置。
【請求項３】
請求項２記載の装置であって、更に、上記構造に対してクロック信号を供給するクロックを備えることを特徴とする装置。
【請求項４】
請求項２記載の装置であって、更に、タイムスタンプが付加された識別済の信号を格納しておくメモリを備えることを特徴とする装置。
【請求項５】
請求項４記載の装置であって、更に、タイムスタンプが付加され格納された識別済の信号を収集サイトに送信する送信構造を備えることを特徴とする装置。
【請求項６】
請求項１記載の装置であって、上記構造が住宅内に配置されることを特徴とする装置。
【請求項７】
請求項１記載の装置であって、上記構造が証明サイト内に配置されることを特徴とする装置。
【請求項８】
請求項１記載の装置であって、上記構造が監視サイト内に配置されることを特徴とする装置。
【請求項９】
請求項１記載の装置であって、更に、放送された番組信号を受信しディジタルオーディオ信号を上記入力部に出力するチューナを備えることを特徴とする装置。
【請求項１０】
請求項１記載の装置であって、番組識別コードが、放送者及び／又は番組提供者により、ディジタルオーディオ信号中のａｕｘデータフィールドに置かれていることを特徴とする装置。
【請求項１１】
請求項１０記載の装置であって、番組識別コードが、放送者及び／又は頒布システムへの何らかの参加者によりａｕｘデータフィールドにおかれたＰＳＩＰ(Program System Information Protocol)データ、コンテンツＩＤデータ、及び／又はその他の有用なデータであることを特徴とする装置。
【請求項１２】
請求項１０記載の装置であって、番組識別コードが、放送者及び／又は頒布システムへの何らかの参加者により、ａｕｘデータフィールド外にあるビットストリームエリアからａｕｘデータフィールド内へとコピーされた番組関連データであることを特徴とする装置。
【請求項１３】
請求項１０記載の装置であって、視聴活動情報に対応するデータと、スタッフィングとが、交互配置されたことを特徴とする装置。
【請求項１４】
請求項１０記載の装置であって、番組識別コード及び特徴信号がインターネット送信に対応することを特徴とする装置。
【請求項１５】
入力ディジタルオーディオ信号を受信する信号識別構造であって、
（ｉ）圧縮された受信入力ディジタルオーディオ信号の一部分から識別コードを判別し当該圧縮された受信入力ディジタルオーディオ信号から署名を抽出する、（ｉｉ）未圧縮の受信入力ディジタルオーディオ信号の一部分から識別コードを判別し当該未圧縮の受信入力ディジタルオーディオ信号から署名を抽出する、のうち少なくとも１個を実行するよう構成された信号処理構造を備えることを特徴とする構造。
【請求項１６】
請求項１５記載の構造であって、上記処理構造が（ｉ）及び（ｉｉ）を双方とも実行することを特徴とする構造。
【請求項１７】
請求項１５記載の構造であって、上記処理構造が、判別及び／又は抽出した信号にタイムスタンプを付加することを特徴とする構造。
【請求項１８】
請求項１７記載の構造であって、上記処理構造にクロック信号を供給するクロックを備えることを特徴とする構造。
【請求項１９】
請求項１７記載の構造であって、更に、タイムスタンプが付加された信号を格納するためのメモリを備えることを特徴とする構造。
【請求項２０】
請求項１９記載の構造であって、更に、タイムスタンプが付加され格納された信号を収集サイトに送信する送信構造を備えることを特徴とする構造。
【請求項２１】
請求項１５記載の構造であって、上記処理構造が住宅内に配置されることを特徴とする構造。
【請求項２２】
請求項１５記載の構造であって、上記処理構造が証明サイト内に配置されることを特徴とする構造。
【請求項２３】
請求項１５記載の構造であって、上記処理構造が監視サイト内に配置されることを特徴とする構造。
【請求項２４】
請求項１５記載の構造であって、更に、放送番組信号を受信しディジタルオーディオ信号を上記処理構造に出力するチューナを備えることを特徴とする構造。
【請求項２５】
ディジタルオーディオ信号を識別する方法であって、
入力部においてディジタルオーディオ信号を受信するステップと、
（ｉ）受信ディジタルオーディオ信号中の番組識別コードを識別し、（ｉｉ）伸張された受信ディジタルオーディオ信号中の番組識別コードを識別し、（ｉｉｉ）受信ディジタルオーディオ信号中の特徴署名を識別し、（ｉｖ）伸張された受信ディジタルオーディオ信号中の特徴署名を識別する処理構造を構築するステップとを、
有することを特徴とする方法。
【請求項２６】
請求項２５記載の方法であって、上記処理構造が、識別済の信号にタイムスタンプを付加することを特徴とする方法。
【請求項２７】
請求項２６記載の方法であって、更に、上記処理構造に対してクロック信号を供給することを特徴とする方法。
【請求項２８】
請求項２６記載の方法であって、更に、タイムスタンプが付加された識別済の信号を格納することを特徴とする方法。
【請求項２９】
請求項２８記載の方法であって、更に、タイムスタンプが付加され格納された識別済の信号を収集サイトに送信することを特徴とする方法。
【請求項３０】
請求項２５記載の方法であって、上記処理構造が住宅内に配置されることを特徴とする方法。
【請求項３１】
請求項２５記載の方法であって、上記処理構造が証明サイト内に配置されることを特徴とする方法。
【請求項３２】
請求項２５記載の方法であって、上記処理構造が監視サイト内に配置されることを特徴とする方法。
【請求項３３】
請求項２５記載の方法であって、更に、放送された番組信号をチューナを用いて受信しディジタルオーディオ信号を上記入力部に出力するステップを有することを特徴とする方法。
【請求項３４】
入力ディジタルオーディオ信号を受信する信号識別プロセスであって、
（ｉ）圧縮された受信入力ディジタルオーディオ信号の一部分から識別コードを判別し当該圧縮された受信入力ディジタルオーディオ信号から署名を抽出するステップ、及び
（ｉｉ）未圧縮の受信入力ディジタルオーディオ信号の一部分から識別コードを判別し当該未圧縮の受信入力ディジタルオーディオ信号から署名を抽出するステップ、
のうち少なくとも１個を有することを特徴とするプロセス。
【請求項３５】
請求項３４記載のプロセスであって、（ｉ）及び（ｉｉ）を双方とも実行することを特徴とするプロセス。
【請求項３６】
請求項３４記載のプロセスであって、更に、判別及び／又は抽出した信号にタイムスタンプを付加することを特徴とするプロセス。
【請求項３７】
請求項３６記載のプロセスであって、更に、少なくとも（ｉ）及び（ｉｉ）のうちいずれかに対し、クロック信号を供給することを特徴とするプロセス。
【請求項３８】
請求項３６記載のプロセスであって、更に、タイムスタンプが付加された信号を格納することを特徴とするプロセス。
【請求項３９】
請求項３８記載のプロセスであって、更に、タイムスタンプが付加され格納された信号を収集サイトに送信することを特徴とするプロセス。
【請求項４０】
請求項３５記載のプロセスであって、少なくとも（ｉ）及び（ｉｉ）のうちいずれかが住宅内で実行されることを特徴とするプロセス。
【請求項４１】
請求項３５記載のプロセスであって、少なくとも（ｉ）及び（ｉｉ）のうちいずれかが証明サイト内で実行されることを特徴とするプロセス。
【請求項４２】
請求項３５記載のプロセスであって、少なくとも（ｉ）及び（ｉｉ）のうちいずれかが監視サイト内で実行されることを特徴とするプロセス。
【請求項４３】
請求項３５記載のプロセスであって、更に、放送番組信号をチューナを用いて受信しディジタルオーディオ信号を少なくとも（ｉ）及び（ｉｉ）のうちいずれかに出力するステップを有することを特徴とするプロセス。
【請求項４４】
請求項３５記載のプロセスであって、受信したディジタルオーディオ信号を新調することを特徴とするプロセス。
【請求項４５】
１台又は複数台のコンピュータを以てしてディジタルオーディオ信号識別方法を実行せしめるコンピュータ可読記憶媒体であって、当該コンピュータ可読記憶媒体が１台又は複数台のコンピュータを以てして、
入力部においてディジタルオーディオ信号を受信し、
（ｉ）受信ディジタルオーディオ信号中の番組識別コードを識別し、（ｉｉ）伸張された受信ディジタルオーディオ信号中の番組識別コードを識別し、（ｉｉｉ）受信ディジタルオーディオ信号中の特徴署名を識別し、（ｉｖ）伸張された受信ディジタルオーディオ信号中の特徴署名を識別する処理構造を構築することを特徴とするコンピュータ可読型記憶媒体。
【請求項４６】
請求項４５記載のコンピュータ可読型記憶媒体であって、上記処理構造が、識別済の信号にタイムスタンプを付加することを特徴とするコンピュータ可読型記憶媒体。
【請求項４７】
請求項４６記載のコンピュータ可読型記憶媒体であって、更に、上記処理構造に対してクロック信号を供給することを特徴とするコンピュータ可読型記憶媒体。
【請求項４８】
請求項４６記載のコンピュータ可読型記憶媒体であって、更に、タイムスタンプが付加された識別済の信号を格納することを特徴とするコンピュータ可読型記憶媒体。
【請求項４９】
請求項４８記載のコンピュータ可読型記憶媒体であって、更に、タイムスタンプが付加され格納された識別済の信号を収集サイトに送信することを特徴とするコンピュータ可読型記憶媒体。
【請求項５０】
請求項４５記載のコンピュータ可読型記憶媒体であって、上記処理構造が住宅内に配置されることを特徴とするコンピュータ可読型記憶媒体。
【請求項５１】
請求項４５記載のコンピュータ可読型記憶媒体であって、上記処理構造が証明サイト内に配置されることを特徴とするコンピュータ可読型記憶媒体。
【請求項５２】
請求項４５記載のコンピュータ可読型記憶媒体であって、上記処理構造が監視サイト内に配置されることを特徴とするコンピュータ可読型記憶媒体。
【請求項５３】
請求項４５記載のコンピュータ可読型記憶媒体であって、更に、放送された番組信号をチューナを用いて受信しディジタルオーディオ信号を上記入力部に出力することを特徴とするコンピュータ可読型記憶媒体。
【請求項５４】
１台又は複数台のコンピュータを以てして入力ディジタルオーディオ信号を入力する信号識別プロセスを実行せしめるコンピュータ可読型記憶媒体であって、当該コンピュータ可読型記憶媒体が１台又は複数台のコンピュータを以てして、
（ｉ）圧縮された受信入力ディジタルオーディオ信号の一部分から識別コードを判別し当該圧縮された受信入力ディジタルオーディオ信号から署名を抽出、及び
（ｉｉ）未圧縮の受信入力ディジタルオーディオ信号の一部分から識別コードを判別し当該未圧縮の受信入力ディジタルオーディオ信号から署名を抽出、
のうち少なくとも１個を実行することを特徴とするコンピュータ可読型記憶媒体。
【請求項５５】
請求項５４記載のコンピュータ可読型記憶媒体であって、（ｉ）及び（ｉｉ）を双方とも実行せしめることを特徴とするコンピュータ可読型記憶媒体。
【請求項５６】
ディジタルオーディオ信号出力用の受信出力コネクタを有する放送受信装置により複数のディジタル放送番組信号のうち何れが選局されるかを、判別する計測装置であって、
当該計測装置を当該受信出力コネクタに接続するよう構成された入力コネクタと、
ディジタルオーディオ信号を受信しその反復コピーを当該計測装置の出力コネクタ部分に供給するよう構成されたリピータ回路と、
読取時刻出力を提供するよう構成されたクロックと、
クロックからの入力を有し、ディジタルオーディオ信号から補助コードを読みその読取時刻と関連づけるよう構成された復号回路と、
クロックからの入力を有し、ディジタルオーディオ信号からディジタル署名を抽出してその読取時刻と関連づけるよう構成された署名抽出器と、
補助コード及びディジタル署名のうち少なくとも一方並びにそれに関連づけられている読取時刻をそれぞれ含む複数のデータ記録を格納するよう構成されたメモリと、
当該複数のデータ記録をデータ収集設備に対し通信するよう構成された通信装置と、
を備えることを特徴とする計測装置。
【請求項５７】
請求項５６記載の計測装置であって、ディジタル信号がフレームのシーケンスを有しており、各フレームが、それぞれ、補助コードを含む補助データフィールドと、ディジタル署名として使用できる所定部分とを有することを特徴とする計測装置。
【請求項５８】
請求項５６記載の計測装置であって、更に、
フレームのシーケンスをＰＣＭディジタル信号に変換する信号伸張回路と、
当該ＰＣＭ信号を受け取り、それに埋め込まれている第２の補助コードを抽出し、その読取時刻と関連づける第２の復号回路と、
当該ＰＣＭ信号を受け取り、それに現れている第２のディジタル署名を抽出し、その読取時刻と関連づける第２の署名抽出器とを、備え、
各データ記録が、更に、少なくとも１個の埋込コード及び第２のディジタル署名を有することを特徴とする計測装置。
【請求項５９】
請求項５６記載の計測装置であって、当該ディジタル信号が、それに埋め込まれている補助コードを有するＰＣＭ信号を含むことを特徴とする計測装置。
【請求項６０】
請求項５６記載の計測装置であって、更に、受信機からのディジタルオーディオ信号出力が非線形ＰＣＭ符号化オーディオビットストリーム信号かそれとも線形ＰＣＭオーディオ信号かを判別する構造を備えることを特徴とする計測装置。
【請求項６１】
請求項５６記載の計測装置であって、受信出力コネクタがＳＰ／ＤＩＦコネクタを含むことを特徴とする計測装置。
【請求項６２】
受信サイトにて受信装置により複数の番組信号のうち何れが選択されたかを判別するためタイムスタンプが付加された選局記録を生成する方法であって、受信装置が、選択された番組信号に対してユニークに関連づけられているディジタルオーディオ信号を出力するよう構成された受信出力コネクタを有し、ディジタルオーディオ信号がフレームのシーケンスを有している方法において、
当該受信出力コネクタからディジタルオーディオ信号を受け取るステップと、
当該ディジタルオーディオ信号の反復コピーを当該受信出力コネクタ以外の出力コネクタに供給し、
フレームのうち一つの所定フィールドから、当該ディジタルオーディオ信号の個別的な第１の補助コードを、試行的に読み取り、
フレームの所定部分を個別的な第１のディジタル署名としてコピーし、
タイムスタンプが付加された選局記録を、当該受信出力コネクタからフレームのうち一つが受信された時刻を示す読取時刻データ並びに第１の補助コード及び第１のディジタル署名のうち少なくとも一方から、合成し、
タイムスタンプが付加された記録をデータ収集設備に通信することを特徴とする方法。
【請求項６３】
請求項６２記載の方法であって、更に、
非線形ＰＣＭ符号化オーディオビットストリームを伸張して線形ＰＣＭ信号を生成し、
当該線形ＰＣＭ信号からそれに埋め込まれている第２の補助コードを試行的に読み取り、
当該線形ＰＣＭ信号から第２のディジタル署名を抽出して、
タイムスタンプが付加された記録の合成が、第２の補助コード及び第２のディジタル署名のうち少なくとも一方を含めることを特徴とする方法。
【請求項６４】
請求項６２記載の方法であって、第１のディジタル署名としてコピーされる所定部分が、チェックサムフィールドを含むことを特徴とする方法。
【請求項６５】
請求項６２記載の方法であって、当該所定フィールドが補助データフィールドを含むことを特徴とする方法。
【請求項６６】
請求項６２記載の方法であって、当該ディジタルオーディオ信号がＡＣ−３フォーマットを有する信号であることを特徴とする方法。
【請求項６７】
受信サイトにて受信時刻に受信装置により複数の番組信号のうち何れが選択されたかを判別するためタイムスタンプが付加された選局記録を生成する方法であって、受信装置が、選択された番組信号に対してユニークに関連づけられているディジタルオーディオ信号を出力するよう構成された受信出力コネクタを有する方法において、
当該受信出力コネクタから当該ディジタルオーディオ信号を受け取り、
当該ディジタルオーディオ信号中に埋め込まれている補助コードを試行的に読み取り、
当該ディジタルオーディオ信号からディジタル署名を抽出し、
読取時刻並びに補助コード及び第１のディジタル署名のうち少なくとも一方から、タイムスタンプが付加された選局記録を合成し、
タイムスタンプが付加された記録をデータ収集設備に通信することを特徴とする方法。
【請求項６８】
請求項６７記載の方法であって、更に、当該ディジタルオーディオ信号の反復コピーを出力することを特徴とする方法。
【請求項６９】
請求項６７記載の方法であって、当該選択された番組信号が放送番組信号を含むことを特徴とする方法。
【請求項７０】
請求項６７記載の方法であって、当該選択された番組信号が、住宅内に受信装置と共に配置される消費者向け信号格納機器から生成されることを特徴とする方法。
【請求項７１】
複数の番組信号のうち何れが受信装置により選択されたかを判別する計測装置であって、当該受信装置が、選択された番組信号に対しユニークに関連づけられている受信出力ディジタルオーディオ信号を出力するためのＳＰ／ＤＩＦ出力コネクタを有し、当該受信出力ディジタルオーディオ信号が、非線形ＰＣＭ符号化オーディオビットストリーム信号フォーマット及び線形ＰＣＭオーディオ信号フォーマットのうち一方を有する計測装置において、
当該計測装置をＳＰ／ＤＩＦ出力コネクタに接続するよう構成された入力コネクタと、
読取時刻出力を提供するよう構成されたクロックと、
読取時刻出力を受け取り、もしディジタルオーディオ信号が非線形ＰＣＭ符号化オーディオビットストリームフォーマットを有するならば当該ディジタルオーディオ信号から補助コードを読み取って読取時刻と関連づけるよう構成された第１の復号回路と、
読取時刻出力を受け取り、もしディジタルオーディオ信号が非線形ＰＣＭ符号化オーディオビットストリームフォーマットを有するならば当該ディジタルオーディオ信号から第１のディジタル署名を抽出して読取時刻と関連づけるよう構成された第１の署名抽出器と、
もしディジタルオーディオ信号が非線形ＰＣＭ符号化オーディオビットストリームフォーマットを有するならば当該受信出力ディジタルオーディオ信号を線形ＰＣＭオーディオ信号に変換するよう構成された信号伸張回路と、
読取時刻出力を受け取り、埋め込まれているコードを受信出力ＰＣＭディジタルオーディオ信号及び上記変換後の線形ＰＣＭオーディオ信号のうち一方から読み取って読取時刻と関連づけるよう構成された第２の復号回路と、
読取時刻出力を受け取り、受信出力ＰＣＭディジタルオーディオ信号及び上記変換後の線形ＰＣＭオーディオ信号のうち一方から第２のディジタル署名を抽出して読取時刻と関連づけるよう構成された第２の署名抽出器と、
それぞれ個別的な第１の補助コード、個別的な第１のディジタル署名、個別的な埋込コード及び個別的な第２のディジタル署名のうち少なくとも１個並びにそれに関連づけられている個別的な読取時刻をそれぞれ含む複数のデータ記録を格納するよう構成されたメモリと、
当該複数のデータ記録をデータ収集設備に通信する通信手段とを、
備えることを特徴とする計測装置。
【請求項７２】
請求項７１記載の計測装置であって、当該第１のディジタル署名が、非線形ＰＣＭ符号化オーディオビットストリーム信号の所定部分のコピーを含むことを特徴とする計測装置。
【請求項７３】
請求項７２記載の計測装置であって、当該第１の復号回路が、非線形ＰＣＭ符号化オーディオビットストリーム信号の補助データフィールドから補助コードを読み取るよう構成されたことを特徴とする計測装置。
【請求項７４】
請求項７２記載の計測装置であって、更に、受信出力ディジタルオーディオ信号を受け取りその反復コピーを当該計測装置の出力コネクタ部分に出力するよう構成されたリピータ回路を備えることを特徴とする計測装置。
【請求項７５】
請求項７２記載の計測装置であって、当該通信手段が、データストレージのモデム部分及び送信装置として構成されており、当該データストレージ及び送信装置が、当該複数のデータ記録を格納するよう構成された当該メモリを備えることを特徴とする計測装置。
【請求項７６】
複数の番組信号のうち何れが受信サイトにおいて受信機により選択されたかを判別するためタイムスタンプが付加された選局記録を生成する方法であって、当該受信機が、番組信号のうち選択された一つに対してユニークに関連づけられている受信出力ディジタルオーディオ信号を、線形ＰＣＭフォーマット又は非線形ＰＣＭ符号化オーディオビットストリームフォーマットのうち何れかにより出力するよう構成された受信出力コネクタを有する方法において、
受信出力コネクタから受信出力ディジタルオーディオ信号を受け取り、
受信出力ディジタルオーディオ信号が非線形ＰＣＭ符号化オーディオビットストリーム信号かそれとも線形ＰＣＭ信号かを判別し、
もし受信出力ディジタルオーディオ信号が非線形ＰＣＭ符号化オーディオビットストリーム信号であるならば、受信出力ディジタルオーディオ信号の補助コードを、各フレーム毎にその所定フィールドから、試行的に読み取り、
もし受信出力ディジタルオーディオ信号が非線形ＰＣＭ符号化オーディオビットストリーム信号であるならば、各フレームの所定部分を第１のディジタル署名としてコピーし、
もし受信出力ディジタルオーディオ信号が非線形ＰＣＭ符号化オーディオビットストリーム信号であるならば、当該非線形ＰＣＭ符号化オーディオビットストリーム信号を伸張して伸張ＰＣＭディジタル信号をもたらし、
受信出力ＰＣＭディジタル信号及び伸張ＰＣＭディジタル信号のうち一方から、それに埋め込まれている第２の補助コードを試行的に読み取り、
受信出力ＰＣＭディジタル信号及び伸張ＰＣＭディジタル信号のうち一方から第２のディジタル署名を抽出し、
第１の補助コード、第１のディジタル署名、第２の補助コード及び第２のディジタル署名のうち少なくとも１個並びに読取時刻データから、タイムスタンプが付加された選局記録を合成し、
タイムスタンプが付加された記録をデータ収集設備に通信することを特徴とする方法。
【請求項７７】
請求項７６記載の方法であって、更に、データ収集設備にて、タイムスタンプが付加された記録から得られるデータを、タイムスタンプが付加された複数の参照選局記録のうち少なくとも１個から得られる対応するデータと比較し、各参照選局記録が、受信サイトにおいて受信しうる源からのディジタル放送信号の各フレームの所定部分のコピーと、当該ディジタル放送信号から得られる伸張ＰＣＭディジタル信号から抽出した参照ディジタル署名とを、含むことを特徴とする方法。
【請求項７８】
請求項７６記載の方法であって、更に、当該受信出力コネクタ以外の出力コネクタにて受信出力ディジタルオーディオ信号を反復することを特徴とする方法。
【請求項７９】
請求項７６記載の方法であって、更に、選局記録を合成した後当該選局記録をデータ収集設備に通信する前に、当該選局記録をデータストレージ及び送信装置のメモリ部分に格納することを特徴とする方法。
【請求項８０】
複数の選局タイミングにおいてかつ統計的に選択された選局サイトにおける受信装置により所定数の放送信号のうちどの一つが選局されたかを判別する放送聴取者計測方法であって、各放送信号が、データフレームの個別的なシーケンスとしてフォーマットされている個別的なディジタルオーディオ成分を含み、受信装置が、ディジタルオーディオ信号を供給する出力コネクタを備える放送聴取者計測方法において、
選局された放送信号からデータフレームのサブセットを選択し、
各選局時刻を当該サブセット内の各データフレームと関連づけ、
選局サイトにおける選局メモリ内の選局記録のセットを格納し、当該選局記録がそれぞれ当該サブセット内の個別的なデータフレームの所定部分のコピー及び個別的な選局時刻を含み、
選局記録のセットを中央データ収集設備に通信し、
少なくとも１個の参照サイトにて所定数の放送信号を受信しタイムスタンプが付加された参照記録の各セットを参照メモリ内に格納するステップであって、参照記録のセットが、それぞれ、個々の放送信号に関連づけられるディジタルオーディオ成分の各データフレームの所定部分のコピーを含み、
参照記録のセットを中央データ収集設備に通信し、
中央データ収集設備にて、選局記録のセットと個別の参照記録のセットとを比較し、どの放送信号が選局された放送信号であるのかを判別することを特徴とする放送聴取者計測方法。
【請求項８１】
請求項８０記載の放送聴取者計測方法であって、少なくとも一つの選局記録が、少なくとも一つの個別的なフレームの補助データフィールド部分から読み取った補助コードを含むことを特徴とする放送聴取者計測方法。
【請求項８２】
請求項８１記載の放送聴取者計測方法であって、当該補助データフィールド部分が補助データではなくスキップビットを含むことを特徴とする放送聴取者計測方法。
【手続補正２】
【補正対象書類名】明細書
【補正対象項目名】０００８
【補正方法】変更
【補正の内容】
【０００８】
番組信号全体のオーディオ成分は一般にビデオ成分に比べて著しく見劣りする帯域幅しか使用していないけれども、ディジタルオーディオ規格にも様々なバリエーションがある。例えばＡＴＳＣ(Advanced Television Systems Committee)は、ＡＣ−３オーディオと呼ばれる規格を使用することを命じている。これは、直接衛星システム及びケーブルシステムにも広げられている。２００１年においては、衛星（ＤＢＳ：Direct Broadcasting Satellite）システム及びケーブルシステムの大部分が、ＡＣ−３サウンドを使用していなかった。例えば、いくつかの米国ＤＢＳシステムはＭｕｓｉｃａｍ又はＭＰＥＧ１レイヤ２オーディオと呼ばれる規格を用いていた。他の規格、例えばＭＰＥＧ２レイヤ１〜３を用いる日本のＡＡＣ(Advanced Audio Coding)規格も知られている。勿論、多くの番組は今なお線形ＰＣＭフォーマットで作成されている。
【手続補正３】
【補正対象書類名】明細書
【補正対象項目名】００３２
【補正方法】変更
【補正の内容】
【００３２】
本発明の好適な実施形態においては、全部で４種類の技術、即ちディジタルオーディオ信号フレームの補助データフィールドから番組識別ラベルを読み取る技術、伸張された又は未圧縮のオーディオ信号から番組識別ラベルとして埋め込まれたコードを読み取る技術、信号フレームの所定部分を読み取る技術、伸張された又は未圧縮のオーディオ信号から署名を抽出する技術が、組み合わされる。ラベル（もし見つかった場合）、信号フレームの所定部分並びに署名は、フレームが読み取られたローカル時刻と関連づけられ、受信したディジタルオーディオ信号の各フレーム毎に、タイムスタンプが付加された記録が生成される。動作中においては、４種類の技術が同時併存しないこともある。例えば、原オーディオ信号が未圧縮の（線形）ディジタル信号であるかもしれない。その場合、第２及び第４の技術のみが使用されうる。圧縮ディジタル信号の場合でも、様々な理由で補助データフィールド内の番組ラベルが欠落しているかもしれない。システムは、少なくとも１個のラベル又は１個の署名を得られる限り、それ又はそれらを、フレームが読まれたローカル時刻と関連付けることによって、受信したディジタルオーディオ信号の各フレーム毎に、タイムスタンプが付加された記録を生成する。